(57)【要約】【課題】  いかなる場所においても両手が塞がれることなく携帯電話が使用でき、携帯電話機は簡単に、装・脱着する保持具を改良し、該ホルダーを頭部或いは耳部に一時的に装着する保持具装を設けたスマートフォン保持具を開発・提供することにある。【解決手段】  スマートフォン保持具であって、スマートフォン（Ｘ）を一時保持するカバー本体（１）と、該カバー本体（１）を吊り下げて係止する係止バンド（２）からなり、前記カバー本体（１）側と、係止バンド（２）側との間に、カバー本体を左右方向に回動する回動手段と、前後方向に旋回する旋回手段とを設けたことを特徴とするスマートフォン保持具。【選択図】  図３
0003214461.tif 000002
【実用新案登録請求の範囲】
【請求項１】
スマートフォン保持具であって、
スマートフォン（Ｘ）を一時保持するカバー本体（１）と、
該カバー本体（１）を吊り下げて係止する係止バンド（２）からなり、
前記カバー本体（１）側と、係止バンド（２）側との間に、カバー本体を左右方向に回動する回動手段と、前後方向に旋回する旋回手段とを設けた
ことを特徴とするスマートフォン保持具。
【請求項２】
前記回動手段は、
前記カバー本体（１）の裏面側であって、且つ、カバー本体の中央部に長手方向に向け一対の突起（１ｂ，１ｂ´）を設け、
これら突起に、それぞれ軸を軸支する穴（１ｃ，１ｃ´）を設け、これらの穴に軸（３）を跨座した
ことを特徴とする請求項１記載のスマートフォン保持具。
【請求項３】
前記旋回手段は、
前記係止バンド（２）の一端部に、「コ」字状の枠体（２ａ）を設け、
該枠体（２ａ）の両端部を、前記突起（１ｂ，１ｂ´）のそれぞれ外側に回動自在に装着し、
該枠体（２ａ）にも軸穴（２ｂ，２ｂ´）をそれぞれ設け、
これら、穴に前記軸（３）を軸着し
前記「コ」字状の枠体（２ａ）の中央部に、係止バンド（２）とスマートフォン（Ｘ）を旋回可能に枢支する枢支軸（４）を設けた
ことを特徴とする請求項１または２記載のスマートフォン保持具。
【請求項４】
スマートフォン保持具であって、
スマートフォン（Ｘ）を一時保持するカバー本体（１´）と、
該カバー本体（１´）を、耳に吊り下げて係止する係止バンド（２´）からなり、
該カバー本体（１´）の裏面側に傾斜可能な傾斜手段を設けた
ことを特徴とするスマートフォン保持具。
【請求項５】
傾斜手段は、
前記カバー本体（１´）の裏面側に、カバー本体（１´）の長手方向中央部付近に、係止バンド（２´）を摺動可能に保持する保持筒（２ｃ）を設け、
該係止バンド（２´）はカバー本体（１）の表面側に位置する部分に、緩衝部材で構成した保護チューブ（５）を嵌挿した
ことを特徴とする請求項４記載のスマートフォン保持具。
【請求項６】
前記カバー本体（１）の素材が、合成樹脂製である  
ことを特徴とする請求項１または２または３または４または５記載のスマートフォン保持具。
【考案の詳細な説明】
【技術分野】
【０００１】
この考案は、スマートフォン保持具に関する。  
【背景技術】
【０００２】
近年、スマートフォン（以下、携帯電話機という。）は、小型でありながら、電話機能は勿論、テレビ機能、カメラ、ビデオ機能等の沢山の機能を有しており、大変便利なグッズであり現代人にとっては一日たりとも手離せないものである。
【０００３】
しかしながら、携帯電話機での通話は、片方の手で持って行うものであり、他の作業を行いながらの会話の内容を筆記する場合等は、肩と耳とで携帯電話機を挟み頭部をかしげながら行っており、長時間の対応は肩も凝り不便である。通話と他の作業とを併用する、一緒に用いるには不便であり、特に自動車の運転中に使用すれば、注意力が薄れ、思わぬ交通事故を起す恐れがあり、極めて危険であり罰則さえ設けられている。
【０００４】
そこで、この解決策として携帯電話機にホルダーを設けて、両手をフリーにして他の作業もできる種々の商品が開発され、商品として販売されている。例えば、特許文献１、特許文献２のように。
【先行技術文献】
【特許文献】
【０００５】
【特許文献１】特願２００５−１６２１７８号公報
【特許文献２】特願２０００−３１６６２３号公報
【０００６】
しかし、特許文献１に示された携帯電話機ホルダーは、携帯電話機を装着し、あるいは、抜き取ることができるよう合成樹脂板で形成加工したホルダーであり、該ホルダーの裏面に吸盤を取り付けたものであり、この吸盤付ホルダーを自動車の運転側ドアの窓ガラスに吸着して使用するものである。
しかし、歩行中や自動車等のドアの窓ガラスが存在しない場所での使用，即ち、歩行中等には使用出来ないものであった。
【０００７】
また、特許文献２に示された携帯電話機ホルダーは、抜け出し防止の蓋を付帯しない柔軟性のあるフック付のソフトケースを外套や背広の胸ポケット等に携帯するものであり、会話中に使用できるホルダーではなかった。
【０００８】
さらに、携帯電話機を直接手には持たず、例えば、胸のポケットに収納しておき、イヤホーンを介して有線・無線で装着するものもあるが、イヤホーンを長時間にわたって耳に嵌め込んで使用するには鬱陶しく、また、耳が痒くなり外してしまう場合も多く見受けられた。
【考案の開示】
【考案が解決しようとする課題】
【０００９】
上記課題を解決する為にこの考案は、いかなる場所においても使用でき、携帯電話機を手で握ることなく自由にし、装・脱着する保持具を改良し、該ホルダーを使用者の頭部或いは耳部に一時的に装着するスマートフォン保持具を開発・提供することにある。
【課題を解決するための手段】
【００１０】
この考案のスマートフォン保持具は、
スマートフォンを一時保持するカバー本体と、
該カバー本体を吊り下げて係止する係止バンドからなり、
前記カバー本体側と、係止バンド側との間に、カバー本体を左右方向に回動する回動手段と、前後方向に旋回する旋回手段とを設けた
ことを特徴とする。
【００１１】
前記回動手段は、
前記カバー本体の裏面側であって、且つ、カバー本体の中央部に長手方向に向け一対の突起を設け、
これら突起に、それぞれ軸を軸支する穴を設け、これらの穴に軸を跨座した
ことを特徴とする。
【００１２】
前記旋回手段は、
前記係止バンドの一端部に、「コ」字状の枠体を設け、
該枠体の両端部を、前記突起のそれぞれ外側に回動自在に装着し、
該枠体にも軸穴をそれぞれ設け、
これら、穴に前記軸を軸着し
前記「コ」字状の枠体の中央部に、係止バンドとスマートフォンを旋回可能に枢支する枢支軸を設けた
ことを特徴とする。
【００１３】
スマートフォン保持具であって、
スマートフォンを一時保持するカバー本体と、
該カバー本体を、耳に吊り下げて係止する係止バンドからなり、
該カバー本体の裏面側に傾斜可能な傾斜手段を設けた
ことを特徴とする。
【００１４】
傾斜手段は、
前記カバー本体の裏面側に、カバー本体の長手方向中央部付近に、係止バンドを摺動可能に保持する保持筒を設け、
該係止バンドはカバー本体の表面側に位置する部分に、緩衝部材で構成した保護チューブを嵌挿した
ことを特徴とする。
【００１５】
前記カバー本体の素材が、合成樹脂製である、  
ことを特徴とする。
【考案の効果】
【００１６】
この考案によると、携帯電話機を装着するカバー本体と、該カバー本体を係止する係止バンド（頭部または、耳部）を装着することにより、手を使用することなく携帯電話機で通話ができ、極めて便利である等の有益なる効果を奏する。
【図面の簡単な説明】
【００１７】
【図１】この考案の一実施例を示し、（Ａ）は、平面図であり、（Ｂ）は、正面図である。
【図２】この考案の一実施例を示す右側面図である。
【図３】この考案の一実施例の使用状態の一例を示す斜視図である。
【図４】この考案の他の実施例を示し、（Ａ）は平面図であり、（Ｂ）は、右側面図であり、（Ｃ）は、正面図である。
【図５】この考案の他の実施例を示す右側面図である。
【図６】この考案の他の実施例の使用状態を示す斜視図である。
【考案を実施するための形態】
【００１８】
以下、この考案について詳細に説明する。尚、この考案においては、以下の記述に限定されるものではなく、この要旨を逸脱しない範囲においては適宜変更可能である。
【実施例１】
【００１９】
そこで、この考案の一実施例を図１〜図３に基づいて説明すると、スマートフォン保持具であって、スマートフォン（Ｘ）を一時保持するカバー本体（１）と、該カバー本体（１）を吊り下げて係止する係止バンド（２）からなり、前記カバー本体（１）側と、係止バンド（２）側との間に、カバー本体を左右方向に回動する回動手段と、前後方向に旋回する旋回手段とを設けたことを特徴とするスマートフォン保持具から構成されるものである。
【００２０】
この考案をより詳しく説明すると、スマートフォン保持具であって、スマートフォン（Ｘ）を一時保持するカバー本体（１）と、該カバー本体（１）を吊り下げて係止する係止バンド（２）からなり、該カバー本体（１）は、表面側にスマートフォン（Ｘ）を嵌・脱自在に装着する縁部（１ａ）を周囲に設け、裏面側にはカバー本体（１）の長手方向に一対の突起（１ｂ，１ｂ´）を設け、該突起には、それぞれ軸（３）を軸支する穴（１ｃ，１ｃ´）を設け、前記係止バンド（２）の一端部に、「コ」字状の枠体（２ａ）を設け、該枠体（２ａ）の両端部に、前記軸（３）を挿通する穴（２ｂ，２ｂ´）をそれぞれ設け、前記軸（３）を軸支する穴（１ｃ，１ｃ´，２ｂ，２ｂ´）に挿通・跨座して設け、また、前記「コ」字状の枠体（２ａ）の中央部に、係止バンド（２）とスマートフォン（Ｘ）を保持した枠体（２ａ）とを回動可能に枢支する枢支軸（４）を設け、前記スマートフォン（Ｘ）を、左右方向に傾斜可能に、縦方向に回動可能にしたことを特徴とするスマートフォン保持具である。
【００２１】
なお、カバー本体（１）は、図１（Ｂ）に示すように、左方向に適宜の角度（α）、右方向に適宜の角度（α´）ほど、回動するよう構成している。また、係止バンド（２）は、左右が適宜な長さ（β）、（β´）伸長・伸縮可能に形成されており、頭部の大きさが異なる使用者に対処可能とするものである。
【００２２】
また、係止バンド（２）には、該バンドと直交方向に設け、摺動機能を有する枢支軸（４）により、カバー本体（１）は、使用者が装着した際に前方向に適宜な角度（θ）ほど回動可能に、また、後方向に適宜な角度（θ´）ほど回動可能に構成されているものである。
【００２３】
次に、この考案の他の実施例を図４〜図６に基づいて説明すると、スマートフォン保持具であって、スマートフォンを一時保持するカバー本体と、該カバー本体を、耳に吊り下げて係止する係止バンドからなり、該カバー本体の裏面側に傾斜可能な傾斜手段を設けたことを特徴とするスマートフォン保持具である
【００２４】
この考案より詳しく説明すると、この実施例もスマートフォン保持具であって、スマートフォン（Ｘ）を一時保持するカバー本体（１´）と、該カバー本体（１´）を吊り下げて係止する係止バンド（２´）からなり、傾斜手段は、該カバー本体（１´）の表面側にスマートフォン（Ｘ）を嵌・脱自在に装着する縁部（１ａ）を周囲に設け、裏面側にはカバー本体（１´）の長手方向中央部付近に、係止バンド（２´）を摺動可能に保持する保持筒（２ｃ）を設けたものであり、該係止バンド（２´）はカバー本体（１）の表面側に位置する部分に、緩衝部材で構成した保護チューブ（５）を嵌挿したことを特徴とするスマートフォン保持具から構成されるものである。
【００２５】
係止バンド（２´）は、膨出部と扁平部からなる歪な輪状に形成されており、膨出部を使用者の耳に係止して使用するものであり、耳と接触する膨出部には柔らかな素材からなる緩衝部材で構成した保護チューブ（５）で包み耳を保護している。
【００２６】
なお、前記カバー本体（１）（１´）の素材は合成樹脂で構成されるものであり、使用者の好みの色に合わせて比較的簡単に製造できるようにし、また、カバー本体の形状は、携帯電話機の形状に合わせたものを複数作製するものである。
【産業上の利用可能性】
【００２７】
この考案のスマートフォン保持具の技術を確立し、実施することにより、産業上利用可能性があるものである。
【符号の説明】
【００２８】
１，１´      カバー本体
１ａ          縁部
１ｂ，１ｂ´  突起
１ｃ，１ｃ´  穴
２，２´      係止バンド
２ａ          コ字状の枠体
２ｂ，２ｂ´  穴
２ｃ          保持筒
３            軸  
４            枢支軸
５            保護チューブ
Ｘ            スマートフォン
【図１】
0003214461.tif 000003
【図２】
0003214461.tif 000004
【図３】
0003214461.tif 000005
【図４】
0003214461.tif 000006
【図５】
0003214461.tif 000007
【図６】
0003214461.tif 000008